(57)【要約】【課題】感光体帯電により発生するオゾンをオゾン吸引ファンの騒音を抑制して除去できる画像形成装置及びオゾンを騒音を抑制して除去できるとともに感光体周辺温度上昇による感光体クリーニングブレードの劣化を抑制できる画像形成装置を提供する。【解決手段】オゾン含有空気をフィルタ１０１へ導き、オゾン除去して排出するファン１０２を含むオゾン除去装置１０と、温湿度を検出する環境検出装置ＳＥと、ファン１０２の動作を制御する制御部Ｃｏｎｔ１とを備え、該制御部は、帯電装置２による感光体１の帯電中、ファン１０２を動作させ、帯電終了後もひき続き残留オゾン除去処理に過不足のない帯電終了後駆動時間Ｔの間、ファン１０２を動作させる。該ファンの駆動が完了すると、感光体周辺温度が予め定めた閾値温度以上であると、ファン１０２を逆動作させて感光体周辺域に外気を供給させてもよい。【選択図】  図１
2008003350.tif 000002
【特許請求の範囲】
【請求項１】
感光体及び該感光体に対して設けられた帯電装置を有し、該感光体を該帯電装置で帯電させ、該感光体の帯電域に静電潜像を形成し、該静電潜像を現像して可視トナー像を形成し、該可視トナー像を最終的に記録媒体に転写定着させる画像形成装置であり、
前記帯電装置による前記感光体の帯電により発生するオゾンを除去するためのフィルタ及び該オゾンを含む空気を前記フィルタへ導くとともに該フィルタによるオゾン除去処理後の空気を排出するファンを含むオゾン除去装置と、
画像形成装置の使用環境の温度及び湿度を検出する環境検出装置と、
前記オゾン除去装置のファンの動作を制御する制御部とを備えており、
前記制御部は、前記帯電装置による前記感光体の帯電中前記フィルタによるオゾン除去処理のために前記ファンを動作させ、該帯電装置による該感光体の帯電終了後もひき続き前記フィルタによる残留オゾン除去処理のために帯電終了後駆動時間Ｔの間前記ファンを動作させ、
該帯電終了後駆動時間Ｔについては、該帯電装置による該感光体の帯電が終了したとき、該帯電装置による帯電時間と、該帯電装置による感光体帯電電圧と、前記環境検出装置で検出された温度及び湿度とに基づいて決定することを特徴とする画像形成装置。
【請求項２】
前記制御部は、前記帯電終了後駆動時間Ｔを、感光体帯電時間に応じて予め定められた基礎時間に感光体帯電電圧に応じて予め定められた帯電電圧係数並びに環境温湿度に応じて予め定められた環境係数を乗じて決定する請求項１記載の画像形成装置。
【請求項３】
複数の感光体及び該各感光体に対して設けられた帯電装置を有し、該複数の感光体のうち少なくとも一つの感光体を該感光体に対応する帯電装置で帯電させ、該感光体の帯電域に静電潜像を形成し、該静電潜像を現像して可視トナー像を形成し、該可視トナー像を最終的に記録媒体に転写定着させる画像形成装置であり、
前記帯電装置による前記感光体の帯電により発生するオゾンを除去するためのフィルタ及び該オゾンを含む空気を前記フィルタへ導くとともに該フィルタによるオゾン除去処理後の空気を排出するファンを含むオゾン除去装置と、
画像形成装置の使用環境の温度及び湿度を検出する環境検出装置と、
前記オゾン除去装置のファンの動作を制御する制御部とを備えており、
前記制御部は、前記複数の感光体のうちいずれかの感光体を対応する帯電装置で帯電させている間前記フィルタによるオゾン除去処理のために前記ファンを動作させ、帯電させるべき全ての感光体についての帯電終了後もひき続き前記フィルタによる残留オゾン除去処理のために帯電終了後駆動時間Ｔの間前記ファンを動作させ、
前記帯電終了後駆動時間Ｔについては、帯電させる感光体ごとに、帯電装置による該感光体の帯電が終了したとき、該帯電装置による帯電時間と、該帯電装置による感光体帯電電圧と、前記環境検出装置で検出された温度及び湿度とに基づいて該感光体に対応する帯電終了後駆動時間ｔを決定し、該感光体対応帯電終了後駆動時間ｔの合計時間を求め、該合計時間をもって前記帯電終了後駆動時間Ｔとすることを特徴とする画像形成装置。
【請求項４】
前記制御部は、前記感光体対応帯電終了後駆動時間ｔを、感光体帯電時間に応じて予め定められた基礎時間に感光体帯電電圧に応じて予め定められた帯電電圧係数並びに環境温湿度に応じて予め定められた環境係数を乗じて決定する請求項３記載の画像形成装置。
【請求項５】
前記感光体に転写残トナーを除去するクリーニングブレードが接触配置されており、前記制御部は、前記環境検出装置により検出される温度に感光体周辺オフセット温度を加算して感光体周辺温度を求め、前記フィルタによる残留オゾン除去処理のための前記ファン駆動が完了したときの該感光体周辺温度が、前記クリーニングブレードの熱劣化抑制のために予め定めた閾値温度以上であると、前記ファンを逆動作させて感光体周辺域に外気を供給して該感光体周辺域を強制冷却し、前記感光体周辺オフセット温度については、(a) 感光体駆動中の感光体周辺の上昇温度、(b) 感光体停止中の感光体周辺の降下温度、(c) 前記フィルタによる残留オゾン除去処理のための前記ファン動作による感光体周辺の降下温度及び(d) 前記ファンの逆動作による感光体周辺の降下温度をそれぞれ算出し、それらを加算して前記感光体周辺オフセット温度とする請求項１から４のいずれかに記載の画像形成装置。
【請求項６】
前記制御部は、前記感光体周辺オフセット温度算出にあたっての前記感光体駆動中の感光体周辺の上昇温度を、少なくとも、感光体駆動時間、予め求めた感光体駆動に伴う温度上昇のレート、フルカラー画像形成モードかモノクロ画像形成モードかの印字色モード及び片面印字か両面印字かの印字モードに基づいて算出する請求項５記載の画像形成装置。
【請求項７】
前記制御部は、前記記感光体周辺オフセット温度算出にあたっての前記感光体駆動中の感光体周辺の上昇温度を〔（感光体駆動時間）×（予め求めた感光体駆動に伴う温度上昇のレート）×（フルカラー画像形成モードかモノクロ画像形成モードかの印字色モードに応じて予め定められたカラー・モノクロ係数）×（片面印字か両面印字かの印字モードに応じて予め定められた印字係数）×（記録媒体種に応じて予め定められた記録媒体係数）〕により算出する請求項５記載の画像形成装置。
【請求項８】
前記制御部は、前記感光体周辺オフセット温度算出にあたっての前記感光体停止中の感光体周辺の降下温度を〔（該感光体停止時間）×（予め求めた感光体停止中の温度降下レート）〕により算出する請求項５、６又は７記載の画像形成装置。
【請求項９】
前記制御部は、前記感光体周辺オフセット温度算出にあたっての前記フィルタによる残留オゾン除去処理のための前記ファン動作による感光体周辺の降下温度を〔（該残留オゾン除去処理中の感光体停止時間）×（予め求めた該ファン動作による温度降下レート）〕により算出する請求項５から８のいずれかに記載の画像形成装置。
【請求項１０】
前記制御部は、前記感光体周辺オフセット温度算出にあたっての前記ファンの逆動作による感光体周辺の降下温度を〔（該ファン逆動作による強制冷却処理中の感光体停止時間）×（予め求めた該ファン逆動作による温度降下レート）〕により算出する請求項５から９のいずれかに記載の画像形成装置。
【請求項１１】
前記制御部は、前記算出した感光体周辺オフセット温度が０℃以下のときは、感光体周辺オフセット温度を０℃に設定する請求項５から１０のいずれかに記載の画像形成装置。
【発明の詳細な説明】
【技術分野】
【０００１】
本発明は、電子写真方式の複写機、プリンタ、フアクシミリ機、これらのうち２以上を組み合わせた複合機等の画像形成装置に関する。
【背景技術】
【０００２】
電子写真方式の画像形成装置は、通常、感光体及び該感光体に対して設けられた帯電装置を有し、該感光体を該帯電装置で帯電させ、該感光体の帯電域に静電潜像を形成し、該静電潜像を現像して可視トナー像を形成し、該可視トナー像を最終的に記録媒体に転写定着させる。
【０００３】
モノクロ画像形成装置では、感光体は通常一つであり、該感光体に対し帯電装置が設けられている。感光体上に形成されるトナー像は通常直接記録媒体に転写され、定着される。中間転写体を介して記録媒体に転写され、定着されることもある。
一つの感光体に対し、分担色トナーを収容した複数の現像装置を配置した画像形成装置（例えば４サイクル型カラー画像形成装置）では、該感光体に対し帯電装置が設けられている。各現像装置を用いて感光体上に形成されるトナー像は、直接、記録媒体上に順次重ね転写されることもあるが、一旦中間転写体に一次転写され、該中間転写体から記録媒体上に２次転写され、定着されることもある。
【０００４】
中間転写体に沿って複数の感光体が配置されるとともに各感光体に対し分担色トナーを保持した現像装置が対応配置された画像形成装置（例えばタンデム型のカラー画像形成装置）では、各感光体に対しそれぞれ帯電装置が設けられており、各感光体上に形成されるトナー像は一旦中間転写体に１次転写され、該中間転写体から記録媒体上に２次転写され、定着される。
【０００５】
いずれのタイプの画像形成装置においても、帯電装置で感光体を帯電させるときには、通常、放電に伴いオゾンが発生する。特にコロナ放電方式の帯電装置が採用されているときには、オゾン発生量が多い。
【０００６】
このように感光体帯電処理に伴って発生するオゾンを、感光体の帯電部周辺に滞留させておくと、感光体帯電時に感光体表面電位が安定せず画像不良が発生する等の問題が生じる。そのため、感光体帯電中だけでなく、感光体帯電終了後も発生したオゾンを除去する必要がある。
【０００７】
この点、特開平２−５２３７０号公報には、オゾンを感光体近傍から除去する空気流発生ファンを作像プロセス中及びその終了後の所定時間にわたって継続して駆動することでオゾンを除去することが記載されており、また、帯電装置の連続稼働時間に応じた所定時間にわたって空気流発生ファンを継続して駆動することでオゾンを除去することが記載されている。
【０００８】
ところで、空気流発生ファンを単に作像プロセス中及びその終了後の所定時間にわたって継続して駆動する、というだけの場合には、印字枚数が多くそれだけオゾンが多量に発生する場合を基準に該所定時間を定めておくことになるので、印字枚数が少なくオゾン発生量が少ない場合でも、印字枚数が多くオゾン発生量が多い場合にあわせたファン駆動時間の間フアンが駆動され、かかる必要以上のフアン駆動に伴うファン駆動音が単なる騒音となってしまう。
【０００９】
この点、帯電装置の連続稼働時間に応じた所定時間にわたって空気流発生ファンを継続して駆動する場合には、感光体を帯電装置で帯電させる時間を考慮してフアンの継続駆動時間を決定して、印字枚数が少なく、帯電時間が短い場合には、フアンの継続駆動時間を短縮して駆動音を低減することができる利点がある。
【００１０】
【特許文献１】特開平２−５２３７０号公報
【発明の開示】
【発明が解決しようとする課題】
【００１１】
ところが、感光体が複数ある、例えばタンデム型カラー画像形成装置のような画像形成装置では、たとえ印字枚数が少ない場合でも、感光体ごとに要求される帯電時間が異なっていることがあり、また、例えばタンデム型カラー画像形成装置においてモノクロ印字を行うときのように、複数の感光体のうち一つの感光体しか帯電させさせないこともある。このような場合、感光体ごとに発生オゾン量が異なってくる。
【００１２】
また、感光体への帯電で発生するオゾンの量は、帯電時間だけで変化するのではなく、帯電電圧が高い場合にはオゾン発生量が多くなり、低温低湿環境では帯電時の放電が発生しやすくなり、それだけオゾン発生量が多くなる。
【００１３】
しかし前記従来の、帯電装置の連続稼働時間に応じた所定時間にわたって空気流発生ファンを継続して駆動することでオゾンを除去するオゾン除去用フアンの駆動制御では、オゾンをより確実に除去するためには、オゾン発生量が最も多い動作状態を想定して、感光体帯電時間に応じてファン駆動時間を設定せざるを得ず、そうすると、オゾン発生量が少ない動作状態では不必要なフアン駆動が行われることになり、それだけ、単なる騒音でしかないファン駆動音が生じる。
【００１４】
また、タンデム型カラー画像形成装置のように複数の感光体が設けられている場合、感光体ごとにオゾン発生量が異なる状態でも、複数の感光体のうちオゾン発生量が最も多い感光体の動作状態を想定してファン駆動時間を求め、該駆動時間を各感光体について適用することになるため、モノクロ印字のときのように帯電させていない感光体があったり、帯電電圧が低く、それだけオゾン発生量の少ない感光体がある場合でも、そのような感光体についてまで、オゾン発生量が最も多い感光体の動作状態を想定して定められるファン駆動時間が適用され、それら感光体について不必要なフアン駆動が行われることになり、それだけ、単なる騒音でしかないファン駆動音が生じる。
【００１５】
また、別の問題として、印字を行うとき、印字に供される感光体の周辺の温度が上昇するが、該温度上昇をそのまま放置すると、印字に供された感光体上のトナー像が中間転写体や記録媒体に転写されたあと該感光体上に残留するトナーを除去するクリーニング装置として感光体に当接するクリーニングブレードを用いるクリーニング装置が採用されている場合、該クリーニングブレードが変形したり、摩耗しやすくなり、該ブレードのクリーニング性能が低下し、ひいては感光体からの残留トナーの十分な除去が困難になり、画像不良を招くという問題がある。
【００１６】
前記オゾン除去用のファンを駆動すると、それにより発生する気流により感光体周辺温度は低下するが、それだけでは十分感光体周辺温度が下がらず、前記クリーニングブレードの変形や摩耗を十分抑制できないことがある。
【００１７】
そこで本発明は、感光体及び該感光体に対して設けられた帯電装置を有し、該感光体を該帯電装置で帯電させ、該感光体の帯電域に静電潜像を形成し、該静電潜像を現像して可視トナー像を形成し、該可視トナー像を最終的に記録媒体に転写定着させる画像形成装置であって、帯電装置による感光体帯電により発生するオゾンを騒音を抑制して除去できる画像形成装置を提供することを第１の課題とする。
【００１８】
また本発明は、感光体及び該感光体に対して設けられた帯電装置を有し、該感光体を該帯電装置で帯電させ、該感光体の帯電域に静電潜像を形成し、該静電潜像を現像して可視トナー像を形成し、該可視トナー像を最終的に記録媒体に転写定着させ、転写後感光体上に残留するトナーを該感光体に当接するクリーニングブレードで除去する画像形成装置であって、帯電装置による感光体帯電により発生するオゾンを騒音を抑制して除去できるとともに、感光体周辺温度上昇による該クリーニングブレードの劣化（変形、加熱下での過度の摩耗等）を抑制できる画像形成装置を提供することを第２の課題とする。
【課題を解決するための手段】
【００１９】
前記第１の課題を解決するため本発明は第１及び第２の画像形成装置を提供する。また、前記第２の課題を解決するため第３の画像形成装置を提供する。
【００２０】
（１）第１の画像形成装置
感光体及び該感光体に対して設けられた帯電装置を有し、該感光体を該帯電装置で帯電させ、該感光体の帯電域に静電潜像を形成し、該静電潜像を現像して可視トナー像を形成し、該可視トナー像を最終的に記録媒体に転写定着させる画像形成装置であり、
前記帯電装置による前記感光体の帯電により発生するオゾンを除去するためのフィルタ及び該オゾンを含む空気を前記フィルタへ導くとともに該フィルタによるオゾン除去処理後の空気を排出するファンを含むオゾン除去装置と、
画像形成装置の使用環境の温度及び湿度を検出する環境検出装置と、
前記オゾン除去装置のファンの動作を制御する制御部とを備えており、
前記制御部は、前記帯電装置による前記感光体の帯電中前記フィルタによるオゾン除去処理のために前記ファンを動作させ、該帯電装置による該感光体の帯電終了後もひき続き前記フィルタによる残留オゾン除去処理のために帯電終了後駆動時間Ｔの間前記ファンを動作させ、
該帯電終了後駆動時間Ｔについては、該帯電装置による該感光体の帯電が終了したとき、該帯電装置による帯電時間と、該帯電装置による感光体帯電電圧と、前記環境検出装置で検出された温度及び湿度とに基づいて決定する画像形成装置。
【００２１】
第１の画像形成装置としては、例えば、感光体、帯電装置及び現像装置がそれぞれ一つであるモノクロ画像形成装置や、感光体及び帯電装置はそれぞれ一つであるが、一つの感光体に対し分担色トナーを収容した複数の現像装置を配置したカラー画像形成装置（例えば既述の４サイクル型カラー画像形成装置）を挙げることができる。
【００２２】
本発明に係る第１の画像形成装置によると、オゾン除去装置のファンは、制御部の指示のもとに、帯電装置による感光体帯電中、前記フィルタによるオゾン除去処理のために動作し、該感光体の帯電終了後もひき続き、帯電終了後駆動時間Ｔの間、前記フィルタによる残留オゾン除去処理のために動作する。
【００２３】
そして、該帯電終了後駆動時間Ｔは、該制御部において、帯電装置による感光体の帯電が終了したとき、帯電装置による感光体帯電に伴うオゾン発生の量を左右する該帯電装置による帯電時間（帯電装置が感光体を帯電させていた時間）と、該帯電装置による感光体帯電電圧と、前記環境検出装置で検出された温度及び湿度とに基づいて、残留オゾン除去処理を行うに過不足のないように決定される。かくして、感光体帯電中に発生するオゾン及び感光体帯電後に残留するオゾンをいずれも除去処理できるとともに不必要なファン駆動による駆動騒音を抑制することができる。
【００２４】
前記制御部は、前記帯電終了後駆動時間Ｔを帯電装置による感光体帯電時間と、該帯電装置による感光体帯電電圧と、環境検出装置で検出された温度及び湿度とに基づいて決定するにあたり、例えば、感光体帯電時間に応じて予め定められた基礎時間に感光体帯電電圧に応じて予め定められた帯電電圧係数及び環境温湿度に応じて予め定められた環境係数を乗じて決定することができる。
【００２５】
（２）第２の画像形成装置
複数の感光体及び該各感光体に対して設けられた帯電装置を有し、該複数の感光体のうち少なくとも一つの感光体を該感光体に対応する帯電装置で帯電させ、該感光体の帯電域に静電潜像を形成し、該静電潜像を現像して可視トナー像を形成し、該可視トナー像を最終的に記録媒体に転写定着させる画像形成装置であり、
前記帯電装置による前記感光体の帯電により発生するオゾンを除去するためのフィルタ及び該オゾンを含む空気を前記フィルタへ導くとともに該フィルタによるオゾン除去処理後の空気を排出するファンを含むオゾン除去装置と、
画像形成装置の使用環境の温度及び湿度を検出する環境検出装置と、
前記オゾン除去装置のファンの動作を制御する制御部とを備えており、
前記制御部は、前記複数の感光体のうちいずれかの感光体を対応する帯電装置で帯電させている間前記フィルタによるオゾン除去処理のために前記ファンを動作させ、帯電させるべき全ての感光体についての帯電終了後もひき続き前記フィルタによる残留オゾン除去処理のために帯電終了後駆動時間Ｔの間前記ファンを動作させ、
前記帯電終了後駆動時間Ｔについては、帯電させる感光体ごとに、帯電装置による該感光体の帯電が終了したとき、該帯電装置による帯電時間と、該帯電装置による感光体帯電電圧と、前記環境検出装置で検出された温度及び湿度とに基づいて該感光体に対応する帯電終了後駆動時間ｔを決定し、該感光体対応帯電終了後駆動時間ｔの合計時間を求め、該合計時間をもって前記帯電終了後駆動時間Ｔとする画像形成装置。
【００２６】
第２の画像形成装置としては、例えば、中間転写体に沿って複数の感光体が配置されるとともに各感光体に対し帯電装置及び分担色トナーを保持した現像装置が対応配置されたカラー画像形成装置（例えばタンデム型のカラー画像形成装置）を挙げることができる。      
【００２７】
本発明に係る第２の画像形成装置によると、オゾン除去装置のファンは、制御部の指示のもとに、複数の感光体のうちいずれかの感光体がそれに対応する帯電装置で帯電されている間、前記フィルタによるオゾン除去処理のために動作し、帯電させるべき全ての感光体についての帯電終了後もひき続き、帯電終了後駆動時間Ｔの間、前記フィルタによる残留オゾン除去処理のために動作する。
【００２８】
そして、該帯電終了後駆動時間Ｔは制御部において次のように決定される。
帯電させる感光体ごとに、帯電装置による該感光体の帯電が終了したとき、感光体帯電に伴うオゾン発生の量を左右する該帯電装置による帯電時間（帯電装置が感光体を帯電させていた時間）と、該帯電装置による感光体帯電電圧と、前記環境検出装置で検出された温度及び湿度とに基づいて該感光体に対応する帯電終了後駆動時間ｔを決定し、該感光体対応帯電終了後駆動時間ｔの合計時間を求め、該合計時間をもって前記帯電終了後駆動時間Ｔとする。
【００２９】
このように決定される帯電終了後駆動時間Ｔは、複数の感光体が設けられていて、該複数の感光体それぞれについて、それを帯電させるときのオゾン発生量が異なるような場合や、複数の感光体の全部ではなく一部を使用して画像形成するような場合においても、画像形成装置全体として、感光体帯電に伴って発生するオゾンについての残留オゾン除去処理を行うに過不足のない時間である。
かくして、感光体帯電中に発生するオゾン及び感光体帯電後に残留するオゾンをいずれも除去処理できるとともに不必要なファン駆動による駆動騒音を抑制することができる。      
【００３０】
前記制御部は、前記感光体対応帯電終了後駆動時間ｔを帯電装置による感光体帯電時間と、該帯電装置による感光体帯電電圧と、環境検出装置で検出された温度及び湿度とに基づいて決定するにあたり、例えば、感光体帯電時間に応じて予め定められた基礎時間に感光体帯電電圧に応じて予め定められた帯電電圧係数及び環境温湿度に応じて予め定められた環境係数を乗じて決定することができる。
【００３１】
（３）第３の画像形成装置
前記第１又は第２の画像形成装置において、前記感光体に転写残トナーを除去するクリーニングブレードが接触配置されており、前記制御部は、前記環境検出装置により検出される温度に感光体周辺オフセット温度を加算して感光体周辺温度を求め、前記フィルタによる残留オゾン除去処理のための前記ファン駆動が完了したときの該感光体周辺温度が、前記クリーニングブレードの熱劣化抑制のために予め定めた閾値温度以上であると、前記ファンを逆動作させて感光体周辺域に外気を供給して該感光体周辺域を強制冷却し、前記感光体周辺オフセット温度については、(a) 感光体駆動中の感光体周辺の上昇温度、(b) 感光体停止中の感光体周辺の降下温度、(c) 前記フィルタによる残留オゾン除去処理のための前記ファン動作による感光体周辺の降下温度及び(d) 前記ファンの逆動作による感光体周辺の降下温度をそれぞれ算出し、それらを加算して前記感光体周辺オフセット温度とする画像形成装置。
【００３２】
ここで、(a) の「感光体駆動中」とは感光体を回転させて帯電装置で帯電中であることを指し、(b) の「感光体停止中」とは感光体の駆動を停止し、帯電装置も停止させ、ファンによるオゾン除去処理及び強制冷却も行っていない状態を指す。
また、ファンを逆動作させて感光体周辺域に外気を供給させるか否かを判断する基準となる「前記クリーニングブレードの熱劣化抑制のために予め定めた閾値温度」とは、感光体周辺域の温度をクリーニングブレードの熱劣化（熱変形、加熱に伴う過度の摩耗等）を抑制できる温度に設定するための基準温度である。かかる閾値温度は、予め実験等により求め、定めておくことができ、前記制御部に記憶させておけばよい。
【００３３】
本発明に係る第３の画像形成装置によると、制御部は、前記環境検出装置により検出される温度に感光体周辺オフセット温度を加算して感光体周辺温度を求め、フィルタによる残留オゾン除去処理のためのファン駆動が終了したときの感光体周辺温度が予め定めたクリーニングブレードの熱劣化抑制のための閾値温度以上であると、前記ファンを逆動作させて感光体周辺域に外気を供給させ、それにより感光体周辺域の温度をクリーニングブレードの熱劣化（熱変形、加熱に伴う過度の摩耗等）を抑制できる温度へ向け低下させる（感光体周辺域を強制冷却する）。
【００３４】
かくして、本発明に係る第３の画像形成装置によると、感光体に接触配置されたクリーニングブレードの熱劣化（熱変形、加熱に伴う過度の摩耗等）を抑制し、ひいては感光体上の残留トナー等のクリーニングブレードによる拭き残し等の好ましくない状態の発生を抑制して、それだけ良好な画像を形成できる。
【００３５】
前記制御部は、前記感光体周辺オフセット温度を算出するとき、前記(a) 、(b) 、(c) 及び(d) の温度算出を行うのであるが、例えば、前記フィルタによる残留オゾン除去処理のための前記ファン駆動が完了したときにおいて、それ以前にはファンを逆動作させて強制冷却処理したことが未だないという状態であれば、該ファン駆動が完了したときの感光体周辺オフセット温度の計算において、前記(d) 項の温度は「０℃」となり、既にファンを逆動作させて強制冷却処理したことがあるのであれば、以前に算出した前記(d) 項の温度も考慮されることになる。
【００３６】
いずれにしても、前記制御部は、算出される感光体周辺オフセット温度が０℃以下となるときは、感光体周辺オフセット温度を０℃に設定することができる。
【００３７】
前記制御部は、強制冷却中も前記感光体周辺温度を算出する。該制御部はその算出感光体周辺温度が前記閾値温度より低下すると、前記ファンを停止させればよいが、強制冷却中に次の画像形成指示があり、該次の画像形成のために感光体が駆動されるとともに帯電装置が感光体を帯電し始めると、ファンをオゾン除去処理するように動作させてもよく、或いは、次の画像形成指示があっても、感光体周辺温度が前記閾値温度より低下するまでは感光体及び帯電装置等の駆動を禁止してもよい。
【００３８】
いずれにしても、前記制御部は、前記感光体周辺オフセット温度算出にあたっての前記感光体駆動中の感光体周辺の上昇温度を、例えば、少なくとも、感光体駆動時間、予め求めた感光体駆動に伴う温度上昇のレート、フルカラー画像形成モードかモノクロ画像形成モードかの印字色モード及び片面印字か両面印字かの印字モードに基づいて算出することができる。
【００３９】
具体例として、前記感光体周辺オフセット温度算出にあたっての前記感光体駆動中の感光体周辺の上昇温度を、例えば、〔（感光体駆動時間）×（予め求めた感光体駆動に伴う温度上昇のレート）×（フルカラー画像形成モードかモノクロ画像形成モードかの印字色モードに応じて予め定めたられたカラー・モノクロ係数）×（片面印字か両面印字かの印字モードに応じて予め定められた印字係数）×（記録媒体種に応じて予め定められた記録媒体係数）〕により算出する場合を挙げることができる。
【００４０】
また、前記制御部は、前記感光体周辺オフセット温度算出にあたっての前記感光体停止中の感光体周辺の降下温度を、例えば、〔（該感光体停止時間）×（予め求めた感光体停止中の温度降下レート）〕により算出することができる。
前記制御部は、前記感光体周辺オフセット温度算出にあたっての前記フィルタによる残留オゾン除去処理のための前記ファン動作による感光体周辺の降下温度を、例えば、〔（該残留オゾン除去処理中の感光体停止時間）×（予め求めた該ファン動作による温度降下レート）〕により算出することができる。
前記制御部は、前記感光体周辺オフセット温度算出にあたっての前記ファンの逆動作による感光体周辺の降下温度を、例えば、〔（該ファン逆動作による強制冷却処理中の感光体停止時間）×（予め求めた該ファン逆動作による温度降下レート）〕により算出することができる。
【００４１】
いずれにしても、上記「温度上昇レート」や「温度降下レート」は、予め実験等により求めておくことができ、制御部に記憶させておけばよい。
また、「カラー・モノクロ係数」、「印字係数」、「記録媒体係数」についても、予め実験等により求めておくことができ、制御部に記憶させておけばよい。                
【発明の効果】
【００４２】
以上説明したように本発明によると、感光体及び該感光体に対して設けられた帯電装置を有し、該感光体を該帯電装置で帯電させ、該感光体の帯電域に静電潜像を形成し、該静電潜像を現像して可視トナー像を形成し、該可視トナー像を最終的に記録媒体に転写定着させる画像形成装置であって、帯電装置による感光体帯電により発生するオゾンを騒音を抑制して除去できる画像形成装置を提供することができる
【００４３】
また本発明によると、感光体及び該感光体に対して設けられた帯電装置を有し、該感光体を該帯電装置で帯電させ、該感光体の帯電域に静電潜像を形成し、該静電潜像を現像して可視トナー像を形成し、該可視トナー像を最終的に記録媒体に転写定着させ、転写後感光体上に残留するトナーを該感光体に当接するクリーニングブレードで除去する画像形成装置であって、帯電装置による感光体帯電により発生するオゾンを騒音を抑制して除去できるとともに、感光体周辺温度上昇による該クリーニングブレードの劣化（変形、加熱下での過度の摩耗等）を抑制できる画像形成装置を提供することができる。
【発明を実施するための最良の形態】
【００４４】
本発明の実施形態について図面を参照して説明する。
〔１〕第１実施形態（図１〜図３参照）
図１は本発明に係る画像形成装置の１例Ａを示している。図１の画像形成装置Ａはカラー画像を形成できる、所謂４サイクル型のカラー画像形成装置である。
画像形成装置Ａは、回転駆動されるドラム型の負帯電性の感光体１を備えており、感光体１表面を図示省略の帯電用電源装置から帯電電圧が印加されるコロナ放電方式の帯電装置２で一様に所定電位に帯電させ、その帯電域に画像露光装置３から画像露光を施して静電潜像を形成し、該潜像を現像装置４で負帯電性のトナーを用いて反転現像して可視トナー像を形成できる。
【００４５】
現像装置４は回転駆動されるラック４Ｈにイエロー現像装置４Ｙ、マゼンタ現像装置４Ｍ、シアン現像装置４Ｃ及びブラック現像装置４Ｋを搭載したものである。４Ｙ、４Ｍ、４Ｃ、４Ｋの各現像装置はラック４Ｈに着脱可能のカートリッジに構成されている。感光体１には、イエロー、マゼンタ、シアン、ブラックの各色ごとの画像データに基づいて各色に対応する静電潜像が順次形成され、一つの色に対応する潜像が形成されるごとに該潜像が四つの現像装置４Ｙ、４Ｍ、４Ｃ、４Ｋのうち該色に対応する現像装置で現像される。
【００４６】
このようにして感光体１上に順次形成される各色のトナー像は、一つのトナー像が形成されるごとに中間転写ベルト（中間転写体の１例）５に１次転写され、且つ、先に転写されたトナー像の上に重ねて転写される。このようにして中間転写ベルト５上に形成された多重トナー像は、記録媒体供給部６から供給ローラ６１により１枚ずつ供給され、タイミングローラ対６２により該多重トナー像と同期をとって送られてくる転写紙等の記録媒体Ｓに２次転写され、定着装置７で該記録媒体に加熱加圧下に定着されてフルカラー画像となる。このようにしてトナー像が定着された記録媒体は排出ローラ対８１にて排出トレイ８上に排出される。感光体１上の転写残トナーはクリーニングブレード９１にて除去清掃される。
【００４７】
なお、画像形成装置Ａは、４Ｙ、４Ｍ、４Ｃ、４Ｋのうちいずれか一つの現像装置を用いてモノクロ画像を形成することもできるし、４Ｙ、４Ｍ、４Ｃ、４Ｋのうちいずれか二つ或いは三つの現像装置を用いてカラー画像を形成することもできる。
【００４８】
中間転写ベルト５等についてもう少し説明すると、中間転写ベルト５は回転駆動される駆動ローラ５１、感光体１に対向配置された１次転写ローラ５２、ローラ５２と共同してベルト５を感光体１に当接させるローラ５３及び従動ローラ（駆動ローラに対向するローラ）５４からなるローラ群に巻き掛けられている。
【００４９】
１次転写ローラ５２は１次転写電圧が印加されることで感光体１上のトナー像を中間転写ベルト５に転写する。１次転写後感光体１上に残留するトナーは、感光体１に接触配置された、クリーナ９のクリーニングブレード９１により除去清掃される。
【００５０】
駆動ローラ５１には２次転写ローラ５０が対向配置されており、２次転写ローラ５０は２次転写電圧が印加されることで、ローラ５１に巻き掛けられたベルト５と転写ローラ５０間に通される記録媒体Ｓにベルト５上のトナー像を２次転写する。
【００５１】
転写ベルト５上のトナー像が記録媒体Ｓに２次転写されたあと、次のトナー像の１次転写に備えて中間転写ベルト５が、クリーナ９０のクリーニングブレード９０１によりクリーニングされる。クリーナ９０は転写ベルト５を巻き掛けた従動ローラ５４に対向するように設けられている。
【００５２】
２次転写ローラ５０は、ベルト５に１次転写されたトナー像を記録媒体Ｓに２次転写するタイミングでベルト５へ向け押圧され、それまではベルト５から離隔される。クリーニングブレード９０１は、２次転写後ベルト５上に残留するトナーを除去するタイミングでベルト５に圧接され、それまではベルト５から離隔される。
【００５３】
以上のほか、画像形成装置Ａには、帯電装置２による感光体１の帯電に伴って発生するオゾン及び放置しておけば感光体帯電終了後も感光体周辺に残存するオゾンを除去するためのオゾン除去装置１０も設けられている。さらに、本例では、画像形成装置Ａの使用環境温度及び湿度を検出する環境検出センサＳＥが、画像形成装置内温度上昇の影響を受けがたい、記録媒体供給カセット６の下方に設けられている。
【００５４】
オゾン除去装置１０は、図２に示すように、オゾンを含む空気を通過させることでオゾンを除去するオゾン除去フィルタ１０１、オゾン吸引ファン１０２及び該ファンの運転によりオゾン含有空気を帯電装置２及び感光体１の周辺からオゾン除去フィルタ１０１へ導き、該フィルタによるオゾン除去後の空気を画像形成装置Ａ外へ排出するように導くダクト１０３を含んでいる。
【００５５】
オゾン吸引ファン１０２は制御部Ｃｏｎｔ１（図３参照）の指示のもとに動作する。
図３に示すように、前記環境検出センサＳＥで検出される温度及び湿度の情報は制御部Ｃｏｎｔ１に入力される。
制御部Ｃｏｎｔ１は、帯電装置２による感光体１の帯電中、オゾン吸引ファン１０２を、該帯電に伴って発生するオゾンを含む空気をフィルタ１０１へ吸引して導き、該フィルタを通過させ、該フィルタによるオゾン除去処理後の空気を画像形成装置Ａ外へ排出するように回転動作させる。
【００５６】
制御部Ｃｏｎｔ１は、さらに、帯電装置２による感光体１の帯電終了後もひき続き、感光体１の周辺域に残留するオゾンを除去するために、帯電終了後駆動時間Ｔの間、ファン１０２を同じ方向に回転動作させる。
【００５７】
このとき、制御部Ｃｏｎｔ１は、次のようにして帯電終了後駆動時間Ｔを決定する。
帯電装置２による感光体１の帯電が終了したとき、帯電装置２による感光体帯電時間（帯電装置２が感光体１を帯電していた時間）と、帯電装置２による感光体帯電電圧と、環境検出装置ＳＥで検出された温度及び湿度とに基づいて帯電終了後駆動時間Ｔを決定する。
【００５８】
さらに具体的には、制御部Ｃｏｎｔ１は、帯電終了後駆動時間Ｔを、前記感光体帯電時間に応じて予め実験等により定められた基礎時間（オゾン吸引基礎時間）に前記感光体帯電電圧に応じて予め定められた帯電電圧係数及び環境温湿度に応じて予め定められた環境係数を乗じて決定する。すなわち、帯電終了後駆動時間Ｔ＝基礎時間×帯電電圧係数×環境係数となる。
【００５９】
基礎時間、帯電電圧係数及び環境係数は、それぞれ制御部Ｃｏｎｔ１に下記テーブルのように記憶させてある。
オゾン吸引基礎時間テーブル          
感光体帯電時間              オゾン吸引基礎時間
１秒未満                            ０秒
１秒以上６０秒未満                １５秒
６０秒以上１１０秒未満            ２５秒
１１０秒以上１９５秒未満          ４５秒
１９５秒以上３００秒未満          ７０秒
３００秒以上                      ９０秒
【００６０】
帯電電圧係数テーブル            
感光体帯電電圧                  帯電電圧係数
４００Ｖ未満                      ０．８
４００Ｖ以上４５０Ｖ未満          ０．９
４５０Ｖ以上５００Ｖ未満          １．０
５００Ｖ以上                      １．１
【００６１】
環境係数テーブル                
環境                        環境係数
低温低湿環境
（温度２０℃未満且つ湿度２０％ＲＨ未満）    ０．８  
低温低湿、高温高湿以外の環境          １．０  
高温高湿環境
（温度３０℃以上且つ湿度３０％ＲＨ以上）    １．２  
【００６２】
かくして、画像形成装置Ａにおいては、オゾン除去装置１０のオゾン吸引ファン１０２は、制御部Ｃｏｎｔ１の指示のもとに、帯電装置２による感光体１の帯電中、フィルタ１０１によるオゾン除去処理のために回転動作し、感光体１の帯電終了後もひき続き、帯電終了後駆動時間Ｔの間、フィルタ１０１による残留オゾン除去処理のために回転動作する。
【００６３】
帯電終了後駆動時間Ｔは、制御部Ｃｏｎｔ１において、帯電装置２による感光体１の帯電が終了したとき、帯電装置２による感光体帯電に伴うオゾン発生の量を左右する該帯電装置２による感光体帯電時間と、帯電装置２による感光体帯電電圧と、環境検出装置ＳＥで検出される温度及び湿度とに基づいて、残留オゾン除去処理を行うに過不足のないように決定される。
従って、感光体帯電中に発生するオゾン及び感光体帯電後に残留するオゾンをいずれも除去処理できるとともに不必要なファン駆動による駆動騒音を抑制することができる。
以上、４サイクル型画像形成装置について説明したが、本発明は４サイクル型画像形成装置の場合と同様の考え方で、モノクロ画像形成装置にも適用できる。
【００６４】
〔２〕第２実施形態（図４及び図５参照）
図４は本発明に係る画像形成装置の他の例Ｂを示している。図４の画像形成装置はカラー画像を形成できる、所謂タンデム型のカラー画像形成装置である。
画像形成装置Ｂは、駆動ローラ３１とこれに対向するローラ３２に巻き掛けられた無端中間転写ベルト４０を有している。転写ベルト４０は、図示省略のベルト駆動部により駆動される駆動ローラ３１により図中反時計方向（図中矢印方向）に回転させることができる。
【００６５】
駆動ローラ３１上の転写ベルト部分には、２次転写ローラ５００が臨んでいるとともに、ベルト移動方向においてローラ５００より下流側で、転写ベルト４０上の２次転写残トナー等を清掃するクリーナ４００が臨んでいる。クリーナ４００はベルト５に接触配置されたクリーニングブレード４０１にて２次転写残トナーを除去する。
【００６６】
２次転写ローラ５００の表層部は弾性材料で形成されており、図示省略の押圧手段にて中間転写ベルト４０に押圧され、中間転写ベルト４０との間にニップ部を形成し、中間転写ベルト４０の回転に従動して、或いは、後述するように該ニップ部に送り込まれる記録紙等の記録媒体Ｓの移動に従動して回転する。２次転写ローラ５００には、図示省略の２次転写バイアス電源装置から２次転写バイアスを印加することができる。
【００６７】
２次転写ローラ５００の下方には、タイミングローラ対６０２が配置されており、さらにその下方に、記録媒体Ｓを収容した記録媒体収容カセット６０が配置されている。
転写ローラ５００の上方には定着装置８０が配置されている。
【００６８】
カセット６０に収容された記録媒体Ｓは、媒体供給ローラ６０１にて１枚ずつ引き出してタイミングローラ対６０２へ供給することができる。
【００６９】
中間転写ベルト４０を巻き掛けたローラ３１、３２の間には、転写ベルト４０に沿って、ローラ３２から３１に向けて、イエロー画像形成部Ｙ、マゼンタ画像形成部Ｍ、シアン画像形成部Ｃ及びブラック画像形成部Ｋがこの順序で配置されている。
【００７０】
Ｙ、Ｍ、Ｃ、Ｋの各画像形成部は、ドラム型の感光体１１を備えており、該感光体の周囲にコロナ放電方式の帯電装置１２、画像露光装置１３、現像装置１４、１次転写ローラ２０、感光体上の１次転写残トナーを除去清掃するクリーナ１５、残留電荷を消去するイレーサ１６がこの順序で配置されている。クリーナ１５は感光体１１に接触配置されたクリーニングブレード１５１で感光体上の１次転写残トナーを除去できる。
【００７１】
１次転写ローラ２０は転写ベルト４０を間にして感光体１１に対向しており、ベルトの走行に従動回転する。１次転写ローラ２０には、感光体１１上に形成されるトナー像をベルト４０へ１次転写するための１次転写バイアスが図示省略の１次転写バイアス電源装置から印加される。
露光装置１３は、図示省略のパーソナルコンピュータ等から提供される画像情報に応じて、レーザービームを用いて感光体１１に画像露光を施せるものである。
【００７２】
各画像形成部における感光体１１は、ここでは負帯電性の感光体であり、図示省略の感光体駆動モータにて図中時計方向回りに回転駆動できる。
各画像形成部における帯電装置１２には、図示省略の帯電用電源装置から所定のタイミングで帯電電圧を印加できる。
【００７３】
各画像形成部における現像装置１４は、本例では、負帯電性トナーを採用するもので、感光体１１上に形成される静電潜像を、図示省略の現像バイアス印加電源装置から現像バイアス電圧が印加される現像ローラ１４１で反転現像することができる。
【００７４】
画像形成装置Ｂによると、Ｙ、Ｍ、Ｃ、Ｋの画像形成部のうち１又は２以上を用いて画像を形成することができる。
この画像形成装置では中間転写ベルト４０及び各感光体１１は同時的に回転開始し、同時的に停止するようになっており、各帯電装置１２は、感光体回転とともに対応する感光体１１の帯電を開始し、感光体停止とともに帯電を停止する。
画像形成部Ｙ、Ｍ、Ｃ及びＫのすべてを用いてフルカラー画像を形成する場合を例にとると、先ず、イエロー画像形成部Ｙにおいてイエロートナー像を形成し、これを転写ベルト４０に１次転写する。
【００７５】
すなわち、イエロー画像形成部Ｙにおいて、感光体１１が図中時計方向に回転駆動され、帯電装置１２にて表面が一様に所定電位に帯電せしめられた感光体１１の該帯電域に画像露光装置１３からイエロー画像用の画像露光が施され、感光体１１上にイエロー用静電潜像が形成される。この静電潜像はイエロートナーを有する現像装置１４の現像バイアスが印加された現像ローラ１４１にて現像されて可視イエロートナー像となり、該トナー像が１次転写ローラ２０にて転写ベルト４０上に１次転写される。このとき、１次転写ローラ２０には図示省略の電源装置から１次転写バイアス電圧が印加される。
【００７６】
同様にして、マゼンタ画像形成部Ｍにおいてマゼンタトナー像が形成されて転写ベルト４０に転写され、シアン画像形成部Ｃにおいてシアントナー像が形成されて転写ベルト４０に転写され、ブラック画像形成部Ｋにおいてブラックトナー像が形成されて転写ベルト４０に転写される。
【００７７】
イエロー、マゼンタ、シアン、ブラックのトナー像はこれらが中間転写ベルト４０上に重ねて転写されるタイミングで形成される。転写ベルト４０上に形成された多重トナー像は転写ベルト４０の回動により２次転写ローラ５００へ向け移動する。
【００７８】
一方、記録媒体Ｓがカセット６０から媒体供給ローラ６０１にて引き出され、タイミングローラ対６０２へ供給され、待機している。
【００７９】
タイミングローラ対６０２のところで待機する記録媒体Ｓは、中間転写ベルト４０にて送られてくる多重トナー像に合わせて、転写ベルト４０と２次転写ローラ５００とのニップ部に供給され、２次転写バイアスが印加された２次転写ローラ５００にて該多重トナー像が記録媒体Ｓ上に２次転写される。
【００８０】
その後記録媒体Ｓは定着装置８０に通され、そこで多重トナー像が加熱加圧下に記録媒体Ｓに定着される。記録媒体Ｓはひき続き、排出ローラ対Ｒにて排出トレイＴＲに排出される。
各感光体１１上の１次転写残トナーはクリーニングブレード１５１にて除去清掃され、中間転写ベルト４０上の２次転写残トナーはクリーニングブレード４０１にて除去清掃される。
【００８１】
以上のほか、画像形成装置Ｂには、画像形成部Ｙ、Ｍ、Ｃ、Ｋにおいて帯電装置２による感光体１１の帯電に伴って発生するオゾン及び放置しておけば感光体帯電終了後も感光体周辺に残存するオゾンを除去するためのオゾン除去装置１００も設けられている。さらに、本例では、画像形成装置Ｂの使用環境温度及び湿度を検出する環境検出センサＳＥが、画像形成装置内温度上昇の影響を受けがたい、記録媒体供給カセット６０の下方に設けられている。
【００８２】
オゾン除去装置１００は、図４に示すように、オゾンを除去するオゾン除去フィルタ１０４、オゾン吸引ファン１０５及び該ファンの運転によりオゾンを含む空気を各画像形成部の帯電装置１２及び感光体１１の周辺からオゾン除去フィルタ１０４へ導き、該フィルタによるオゾン除去後の空気を画像形成装置Ｂ外へ排出するように導くダクトを含んでいる。
【００８３】
該ダクトは、画像形成部Ｙ、Ｍ、Ｃ、Ｋに接続されたダクト１０６Ｙ、１０６Ｍ、１０６Ｃ、１０６Ｋ及びこれらダクトに接続された共通ダクト１０６からなっており、フィルタ１０４及びファン１０５は共通ダクトに設けられている。すなわち、フィルタ１０４及びファン１０５は本例では画像形成部Ｙ、Ｍ、Ｃ、Ｋのそれぞれにおける感光体１１及びそれを帯電させる帯電装置１２に共通に設けられている。
【００８４】
しかし、例えばオゾン除去フィルタについては、例えばダクト１０６Ｙ、１０６Ｍ、１０６Ｃ、１０６Ｋのそれぞれに設ける等して、画像形成部Ｙ、Ｍ、Ｃ、Ｋのそれぞれに対して設けてもよい。
【００８５】
共通のファン１０５は制御部Ｃｏｎｔ２（図５参照）の指示のもとに動作する。
図５に示すように、前記環境検出センサＳＥで検出される温度及び湿度の情報は制御部Ｃｏｎｔ２に入力される。
【００８６】
制御部Ｃｏｎｔ２は、四つの感光体１１のうちいずれかの感光体がそれに対応する帯電装置１２で帯電されている間、オゾン吸引ファン１０５を、該帯電に伴って発生するオゾンを含む空気をフィルタ１０４へ吸引して導き、該フィルタを通過させ、該フィルタによるオゾン除去処理後の空気を画像形成装置Ｂ外へ排出するように回転動作させる。
【００８７】
制御部Ｃｏｎｔ２は、さらに、帯電させるべき全ての感光体１１についての帯電終了後もひき続き、帯電させた感光体１１の周辺域に残留するオゾンを除去するために、帯電終了後駆動時間Ｔの間、ファン１０５を同じ方向に回転動作させる。
【００８８】
このとき、制御部Ｃｏｎｔ２は、帯電させる感光体１１ごとに、帯電装置１２による該感光体１１の帯電が終了したとき、該帯電装置１２による感光体帯電時間（該帯電装置が該感光体を帯電させていた時間）と、該帯電装置１２による感光体帯電電圧と、前記環境検出装置ＳＥで検出される温度及び湿度とに基づいて、該感光体１１に対応する帯電終了後駆動時間ｔを決定し、該感光体対応帯電終了後駆動時間ｔの合計時間を求め、該合計時間をもって前記帯電終了後駆動時間Ｔとする。
【００８９】
そして、感光体対応帯電終了後駆動時間ｔは、より具体的には、前記感光体帯電時間に応じて予め実験等により定められた基礎時間（オゾン吸引基礎時間）に前記感光体帯電電圧に応じて予め定められた帯電電圧係数及び環境温湿度に応じて予め定められた環境係数を乗じて決定する。
感光体対応帯電終了後駆動時間ｔ＝基礎時間×帯電電圧係数×環境係数となる。
【００９０】
この場合の基礎時間、帯電電圧係数及び環境係数は、画像形成装置Ａについて採用した既述のオゾン吸引基礎時間テーブル、帯電電圧係数テーブル及び環境係数テーブルと同じテーブルが採用され、各テーブルを制御部Ｃｏｎｔ２に記憶させてある。
【００９１】
かくして、画像形成装置Ｂにおいては、オゾン除去装置１００のオゾン吸引ファン１０５は、制御部Ｃｏｎｔ２の指示のもとに、いずれかの感光体１１がそれに対応する帯電装置１２で帯電されている間、フィルタ１０４によるオゾン除去処理のために回転動作し、帯電させるべき全ての感光体１１についての帯電終了後もひき続き、帯電終了後駆動時間Ｔの間、フィルタ１０４による残留オゾン除去処理のために回転動作する。
【００９２】
ここでの帯電終了後駆動時間Ｔは、既述のように求められるものであるため、画像形成装置Ｂにおいて複数の感光体１１が設けられていて、該複数の感光体１１それぞれについて、それを帯電させるときのオゾン発生量が異なるような場合においても、また、四つの画像形成部のうち使用する画像形成部の数が三つ以下となるような場合でも、画像形成装置Ｂ全体として、感光体帯電に伴って発生するオゾンについての残留オゾン除去処理を行うに過不足のない時間である。
【００９３】
例えば画像形成部Ｋのみを用いてモノクロ画像を形成する場合、画像形成部Ｙ、Ｍ、Ｃの感光体１１は帯電させないため、それら感光体についての感光体対応帯電終了後駆動時間ｔはそれぞれ０秒となり、画像形成装置全体の帯電終了後駆動時間Ｔは画像形成部Ｋの感光体１１についての感光体対応駆動時間ｔだけとなる。
かくして、感光体帯電中に発生するオゾン及び感光体帯電後に残留するオゾンをいずれも除去処理できるとともに不必要なファン駆動による駆動騒音を抑制することができる。      
【００９４】
ここで、制御部Ｃｏｎｔ２における、感光体対応帯電終了後駆動時間ｔ及び帯電終了後駆動時間Ｔの算出決定について、Ｙ、Ｍ、Ｃ、Ｋの画像形成部を用いてフルカラー画像を形成する場合及び画像形成部Ｋのみ用いてモノクロ画像を形成する場合を例にとって説明する。
【００９５】
（ａ）フルカラー画像形成の場合（環境温度２５℃、湿度２８％ＲＨとして）
画像形成部Ｙの感光体１１  帯電電圧３９０Ｖ、帯電時間５０秒
画像形成部Ｍの感光体１１  帯電電圧４１０Ｖ、帯電時間５０秒
画像形成部Ｃの感光体１１  帯電電圧４１０Ｖ、帯電時間５０秒
画像形成部Ｋの感光体１１  帯電電圧３９０Ｖ、帯電時間５０秒
【００９６】
オゾン吸引基礎時間は、前記テーブルより、いずれの感光体についても１５秒、
帯電電圧係数は、前記テーブルより、画像形成部Ｙ及びＫの感光体については０．８、画像形成部Ｍ及びＣの感光体については０．９、
環境係数は、前記テーブルより、いずれの感光体についても１．０である。
【００９７】
ここで、前記の感光体対応帯電終了後駆動時間ｔ＝オゾン吸引基礎時間×帯電電圧係数×環境係数を用いて、各画像形成部の感光体に対応する駆動時間ｔを求めると、
画像形成部Ｙの感光体１１の駆動時間ｔ＝１５×０．８×１．０＝１２秒
画像形成部Ｍの感光体１１の駆動時間ｔ＝１５×０．９×１．０＝１３．５秒
画像形成部Ｃの感光体１１の駆動時間ｔ＝１５×０．９×１．０＝１３．５秒
画像形成部Ｋの感光体１１の駆動時間ｔ＝１５×０．８×１．０＝１２秒
となり、これらの合計時間である帯電終了後駆動時間Ｔは５１秒となる。
【００９８】
ここで従来の方法により各駆動時間ｔを求めるとすれば、感光体帯電時間に応じてオゾン吸引基礎時間を切りえる制御を行うものの、帯電電圧、環境温湿度については最もオゾン発生量が多くなる状態を想定することになる。すなわち、前記テーブルを採用すれば、オゾン吸引基礎時間は、いずれの感光体も帯電時間５０秒からして１５秒となるが、帯電電圧係数は最大値１．１となり、環境係数は最大値１．２となる。従って、いずれの感光体についても駆動時間ｔ＝１５×１．１×１．２＝１９．８秒となり、これらの合計時間である帯電終了後駆動時間Ｔ＝１９．８×４＝７９．２秒となる。
【００９９】
従って、画像形成装置Ｂでは、残留オゾン除去処理のためにファン１０５を回転動作させる帯電終了後駆動時間Ｔを従来より、（７９．２−５１）＝２８．２秒短くでき、残留オゾン除去処理に支障を来すことなく、しかも不必要なファン駆動による騒音を、従来よりファン駆動時間を２８．２秒短縮して低減することができる。
【０１００】
（ｂ）画像形成部Ｋによるモノクロ画像形成の場合（環境温度２５℃、湿度２８％ＲＨとして）
画像形成部Ｙの感光体１１  帯電電圧０Ｖ、帯電時間０秒
画像形成部Ｍの感光体１１  帯電電圧０Ｖ、帯電時間０秒
画像形成部Ｃの感光体１１  帯電電圧０Ｖ、帯電時間０秒
画像形成部Ｋの感光体１１  帯電電圧３９０Ｖ、帯電時間５０秒
【０１０１】
オゾン吸引基礎時間は、前記テーブルより、画像形成部Ｋの感光体１１については１５秒、他の感光体についてはいずれも０秒、
帯電電圧係数は、前記テーブルにおいて、画像形成部Ｋの感光体については０．８であり、他の感光体については該当するものがないので、計算に影響のないように便宜上１．０とする。
環境係数は、前記テーブルより、いずれの画像形成部についても１．０である。
【０１０２】
ここで、前記の感光体対応帯電終了後駆動時間ｔ＝オゾン吸引基礎時間×帯電電圧係数×環境係数を用いて、各画像形成部の感光体に対応する駆動時間ｔを求めると、
画像形成部Ｙの感光体１１の駆動時間ｔ＝０×１．０×１．０＝０秒
画像形成部Ｍの感光体１１の駆動時間ｔ＝０×１．０×１．０＝０秒
画像形成部Ｃの感光体１１の駆動時間ｔ＝０×１．０×１．０＝０秒
画像形成部Ｋの感光体１１の駆動時間ｔ＝１５×０．８×１．０＝１２秒
となり、これらの合計時間である帯電終了後駆動時間Ｔは１２秒となる。
【０１０３】
ここで従来の方法により駆動時間ｔを求めるとすれば、感光体帯電時間に応じてオゾン吸引基礎時間を切りえる制御を行うものの、使用しない感光体についても使用する感光体と同様に感光体帯電時間を当て、さらに、帯電電圧、環境温湿度については最もオゾン発生量が多くなる状態を想定する。
【０１０４】
従って、Ｙ、Ｍ、Ｃ、Ｋの各画像形成部についての感光体１１に関する駆動時間ｔがいずれも、時間ｔ＝１５×１．１×１．２＝１９．８秒と算出され、帯電終了後駆動時間Ｔ＝１９．８×４＝７９．２秒と決定される。
【０１０５】
従って、画像形成装置Ｂでは、モノクロ画像形成においては、残留オゾン除去処理のためにファン１０５を回転動作させる帯電終了後駆動時間Ｔを従来より、（７９．２−１２）＝６７．２秒短縮でき、残留オゾン除去処理に支障を来すことなく、しかも不必要なファン駆動による騒音を、従来よりファン駆動時間を６７．２秒短縮して低減することができることになる。
【０１０６】
〔３〕第３実施形態
既述の画像形成装置Ａ（Ｂ）においては、残留オゾン除去処理のためのファン１０２（１０５）の回転駆動が完了したのち、ファン１０２（１０５）を逆転動作させ、それにより外気を感光体１（１１）の周辺域に供給し、該周辺域を強制冷却し、それにより、感光体に接触配置されたクリーニングブレード９１（１５１）の熱劣化（変形、摩耗量の増大等）を抑制して感光体１（１１）上の転写残トナーの除去清掃を長期にわたり良好に行えるようにし、それだけ良好な画像を形成できるようにしてもよい。
【０１０７】
そのため、画像形成装置Ａ（Ｂ）において、制御部Ｃｏｎｔ１（Ｃｏｎｔ２）を次のように構成してもよい。
すなわち、フィルタ１０１（１０４）による残留オゾン除去処理のためのファン１０２（１０５）の回転駆動が完了したときの感光体周辺温度が、クリーニングブレード９１（１５１）の熱劣化抑制のために予め定めた閾値温度以上であると、ファン１０２（１０５）を逆動作させて感光体周辺域に外気を供給させる（強制冷却する）ように構成するのである。
本例では、「閾値温度」を例えば３５℃に設定して制御部Ｃｏｎｔ１（Ｃｏｎｔ２）に記憶させておけばよい。
【０１０８】
本例では、制御部Ｃｏｎｔ１（Ｃｏｎｔ２）に、該感光体周辺温度を画像形成装置の電源投入時から１００ｍｓｅｃごとに次式により算出させる。
感光体周辺温度Ｔｃ（℃）＝環境検出装置ＳＥによる検出環境温度（℃）
＋感光体周辺オフセット温度Ｔｆ（℃）
【０１０９】
感光体周辺オフセット温度Ｔｆ（℃）は、
(a) 感光体１（１１）駆動中の感光体周辺の上昇温度、
(b) 感光体１（１１）停止中の感光体周辺の降下温度、
(c) フィルタ１０１（１０４）による残留オゾン除去処理のためのファン１０２（１０５）動作による感光体周辺の降下温度及び
(d) 該ファンの逆動作による感光体周辺の降下温度
をそれぞれ制御部Ｃｏｎｔ１（Ｃｏｎｔ２）において算出させるとともに、それらを加算させて算出させる。
【０１１０】
ここで(a) の「感光体１（１１）駆動中」とは感光体１（１１）を駆動し、帯電装置２（１２）で感光体を帯電させている状態を指し、(b) の「感光体１（１１）停止中」とは感光体駆動を停止し、ファン１０２（１０５）によるオゾン除去処理及び強制冷却も行っていない状態を指す。
【０１１１】
感光体周辺温度を求めるにあたり、環境検出装置ＳＥによる検出環境温度（℃）の外にこのような感光体周辺オフセット温度Ｔｆ（℃）も考慮する理由は次の通りである。
感光体１（１１）を駆動回転させて帯電装置２（１２）で帯電中（感光体駆動中）は感光体周辺温度が上昇する一方、感光体１（１１）の駆動を停止し、帯電装置２（１２）も停止させ、ファン１０２（１０５）によるオゾン除去処理及び強制冷却も行っていない状態（感光体停止中）では一定の温度下降レートで感光体周辺温度が降下する。また、残留オゾン除去のためにファン１０２（１０５）が動作していたり、強制冷却のために該ファンが逆動作しているときは、それぞれ、感光体の駆動を停止し、帯電装置も停止させ、ファンによるオゾン除去処理及び強制冷却も行っていないとき（感光体停止中）より感光体周辺温度降下が速い。
感光体周辺温度はこのような要因にも左右されるからである。
【０１１２】
感光体周辺オフセット温度Ｔｆは、具体的には、例えば、次の式により制御部において算出させればよい。
感光体周辺オフセット温度Ｔｆ＝
感光体駆動中の感光体周辺の上昇温度〔（感光体駆動時間）×（予め求めた感光体駆動による温度上昇レート）×（フルカラー画像形成モードかモノクロ画像形成モードかの印字色モードに応じて予め定めたられたカラー・モノクロ係数）×（片面印字か両面印字かの印字モードに応じて予め定められた印字係数）×（記録媒体種に応じて予め定められた記録媒体係数）〕＋
感光体停止中の感光体周辺の降下温度〔（該感光体停止時間）×（予め求めた感光体停止中の温度降下レート）〕＋
フィルタによる残留オゾン除去処理のためのファン動作による感光体周辺の降下温度〔（該残留オゾン除去処理中の感光体停止時間）×（予め求めた該ファン動作による温度降下レート）〕＋
ファンの逆動作による感光体周辺の降下温度〔（該ファン逆動作による強制冷却処理中の感光体停止時間）×（予め求めた該ファン逆動作による温度降下レート）〕
【０１１３】
感光体周辺オフセット温度Ｔｆは、画像形成装置の電源投入時は０℃として、前記感光体周辺温度Ｔｃの計算と同じタイミングで、感光体駆動中、感光体停止中、オゾン除去処理中、強制冷却中のそれぞれで算出させる。本例では１００ｍｓｅｃごとに感光体周辺温度Ｔｃを算出するため、感光体周辺オフセット温度Ｔｆは１００ｍｓｅｃごとに更新される電源投入時からの温度変化量となる。
【０１１４】
本例では、                                                                      感光体駆動中の感光体周辺温度上昇レート＝０．３℃／秒
感光体停止中の感光体周辺温度下降レート＝−０．０５℃／秒
オゾン除去処理ファン動作による感光体周辺温度下降レート＝−０．１℃／秒
ファン逆動作による感光体周辺温度下降レート＝−０．５℃／秒
であり、これらレートは制御部Ｃｏｎｔ１（Ｃｏｎｔ２）に記憶させておけばよい。
【０１１５】
感光体駆動中の上昇温度算出にあたり、フルカラー画像形成モードかモノクロ画像形成モードかの印字色モードを考慮するのは、それらのうちいずれのモードによる画像形成であるかによって画像形成速度（従って感光体回転速度）が異なってくる場合に、感光体駆動時の温度上昇レートを補正するためである。この場合、補正係数としてカラー・モノクロ係数テーブルを予め実験等により求めておいて、制御部Ｃｏｎｔ１（Ｃｏｎｔ２）に記憶させておけばよい。本例では、以下のとおり定めてある。
カラー・モノクロ係数テーブル                
画像形成モード              カラー・モノクロ係数  
カラー画像形成モード                  １．１
モノクロ画像形成モード                １．０
【０１１６】
片面印字か両面印字かの印字モードを考慮するのは、両面印字モードの場合は、片面に画像形成されて温度上昇した記録媒体が再び画像形成装置内に戻り、感光体周辺温度が上昇するので、感光体駆動時の温度上昇レートを補正するためである。この場合、補正係数として印字係数テーブルを予め実験等により求めておいて、制御部Ｃｏｎｔ１（Ｃｏｎｔ２）に記憶させておけばよい。本例では、以下のとおり定めてある。
印字係数テーブル            
印字モード                印字係数    
片面印字モード              １．０
両面印字モード              １．２
【０１１７】
記録媒体種を考慮するのは、記録媒体種に応じて画像形成速度（従って感光体回転速度）が異なってくる場合に、感光体駆動時の温度上昇レートを補正するためである。この場合、補正係数として記録媒体係数テーブルを予め実験等により求めておいて、制御部Ｃｏｎｔ１（Ｃｏｎｔ２）に記憶させておけばよい。本例では、以下のとおり定めてある。
記録媒体係数テーブル    
記録媒体        記録媒体係数
普通紙            １．０
厚  紙            １．２
封  筒            １．４
【０１１８】
制御部Ｃｏｎｔ１（Ｃｏｎｔ２）の計算によると、感光体駆動中は前記環境検出センサＳＥで検出される環境温度に対しプラスの値になり、感光体停止中、残留オゾン除去処理のためのファン動作中及び強制冷却のためのファン逆動作中は、感光体周辺温度が下降し、センサＳＥで検出される環境温度に対しマイナスとなることがあり得るが、感光体周辺温度がセンサＳＥで検出される温度より下降することはないので、計算により感光体周辺オフセット温度が０℃以下になった場合は、感光体周辺オフセット温度を０℃に設定すればよい。
【０１１９】
第３実施形態の画像形成装置によると、制御部Ｃｏｎｔ１（Ｃｏｎｔ２）は、環境検出センサＳＥにより検出される温度に感光体周辺オフセット温度Ｔｆを加算して感光体周辺温度Ｔｃを求め、フィルタ１０１（１０４）による残留オゾン除去処理のためのファン駆動が終了したときの感光体周辺温度が予め定めたクリーニングブレード９１（１５１）の熱劣化抑制のための閾値温度３５℃以上であると、ファン１０２（１０５）を逆動作させて感光体周辺域に外気を供給させ、それにより感光体周辺域の温度を該クリーニングブレードの熱劣化（熱変形、加熱に伴う過度の摩耗等）を抑制できる温度へ向け低下させる（感光体周辺域を強制冷却する）。
【０１２０】
かくして、クリーニングブレード９１（１５１）の熱劣化（熱変形、加熱に伴う過度の摩耗等）を抑制し、ひいては感光体１（１１）上の残留トナー等のクリーニングブレードによる拭き残し等の好ましくない状態の発生を抑制して、それだけ良好な画像を形成できる。
【０１２１】
制御部は、感光体周辺オフセット温度Ｔｆを算出するとき、既述のとおり、
(a) 感光体１（１１）駆動中の感光体周辺の上昇温度、
(b) 感光体１（１１）停止中の感光体周辺の降下温度、
(c) フィルタ１０１（１０４）による残留オゾン除去処理のためのファン１０２（１０５）動作による感光体周辺の降下温度及び
(d) 該ファンの逆動作による感光体周辺の降下温度
を求めるのであるが、例えば、フィルタ１０１（１０４）による残留オゾン除去処理のためのファン１０２（１０５）の駆動が完了したときにおいて、それ以前にはファンを逆動作させて強制冷却処理したことが未だないという状態であれば、ファン駆動が完了したときの感光体周辺オフセット温度の計算において、(d) 項のファン逆動作による感光体周辺の降下温度は計算上「０℃」となるが、既にファンを逆動作させて強制冷却処理したことがあるのであれば、以前に算出した該温度も考慮されることになる。
【０１２２】
制御部Ｃｏｎｔ１（Ｃｏｎｔ２）は、強制冷却中も感光体周辺温度Ｔｃを算出し、その感光体周辺温度が閾値温度３５℃より低下すると、該ファンを停止させるが、強制冷却中に次の画像形成指示があり、該次の画像形成のために感光体１（１１）が駆動されるとともに帯電装置２（１２）が感光体を帯電し始めると、ファン１０２（１０５）をオゾン除去処理用に動作させる。
【産業上の利用可能性】
【０１２３】
本発明は、感光体帯電により発生するオゾンを、オゾン吸引ファンの駆動騒音を抑制して除去でき、また、感光体周辺温度上昇によるクリーニングブレードの劣化を抑制できる画像形成装置を提供することに利用できる。
【図面の簡単な説明】
【０１２４】
【図１】本発明に係る画像形成装置の１例の概略構成を示す図である。
【図２】図１の画像形成装置におけるオゾン除去装置を示す図である。
【図３】図２に示すオゾン除去装置におけるファン動作の制御回路の概略を示すブロック図である。
【図４】本発明に係る画像形成装置の他の例の概略構成を示す図である。
【図５】図４の画像形成装置におけるオゾン除去装置のファン動作の制御回路の概略を示すブロック図である。
【符号の説明】
【０１２５】
Ａ  画像形成装置
１  感光体
２  帯電装置
３  画像露光装置
４  現像装置
４Ｈ  ラック
４Ｙ  イエロー現像装置
４Ｍ  マゼンタ現像装置
４Ｃ  シアン現像装置
４Ｋ  ブラック現像装置
５  中間転写ベルト
５１  駆動ローラ
５２  １次転写ローラ
５３  ローラ
５４  従動ローラ
６  記録媒体供給部
６１  記録媒体供給ローラ
６２  タイミングローラ対
Ｓ  記録媒体
７  定着装置
８１  排出ローラ対
８  排出トレイ
９、９０  クリーナ
９１、９０１  クリーニングブレード
１０  オゾン除去装置
１０１  オゾン除去フィルタ
１０２  オゾン吸引ファン
１０３  ダクト
ＳＥ    環境検出センサ
Ｃｏｎｔ１  制御部
Ｂ  画像形成装置
Ｙ  イエロー画像形成部
Ｍ  マゼンタ画像形成部
Ｃ  シアン画像形成部
Ｋ  ブラック画像形成部
１１  感光体
１２  帯電装置
１３  画像露光装置
１４  現像装置
１４１  現像ローラ
１５  クリーナ
１５１  クリーニングブレード
２０  １次転写ローラ
３１  駆動ローラ
３２  対向ローラ
４０    中間転写ベルト
４００  クリーナ
４０１  クリーニングブレード
５００    ２次転写ローラ
６０  記録媒体供給カセット
６０１  記録媒体供給ローラ
６０２  タイミングローラ対
８０    定着装置
Ｒ      排出ローラ対
ＴＲ    排出トレイ
１００  オゾン除去装置
１０４  オゾン除去フィルタ
１０５  オゾン吸引ファン
１０６Ｙ、１０６Ｍ、１０６Ｃ、１０６Ｋ、１０６  ダクト
Ｃｏｎｔ２  制御部
【図１】
2008003350.tif 000003
【図２】
2008003350.tif 000004
【図３】
2008003350.tif 000005
【図４】
2008003350.tif 000006
【図５】
2008003350.tif 000007